(57)【要約】【課題】オートズーム機構なしでバウンス時に照射角が変更され、小型で低価格なストロボ装置を提供する。【解決手段】ストロボ本体１に対して回転可能な発光部２を備えたバウンス機能を有するストロボ装置において、発光部２は、発光光学系の発光光源７を備えた第一の発光部筐体５と、発光光学系の光学部材３を備えた第二の発光部筐体６と、を有し、第二の発光部筐体６は、非バウンス時である通常使用時にストロボ本体と係合して発光部２の回転を防止する第一の位置と、バウンス時にストロボ本体１との係合を解除して発光部２の回転を可能にする第二の位置と、の間で第一の発光部筐体５に対して変位可能であり、第二の発光部筐体６の移動に伴う光学部材３の変位によって発光光学系の照射角を変更する。【選択図】図１
2009186937.tif 000002
【特許請求の範囲】
【請求項１】
ストロボ本体に対して回転可能な発光部を備えたバウンス機能を有するストロボ装置であって、
前記発光部は、発光光学系の発光光源を備えた第一の発光部筐体と、発光光学系の光学部材を備えた第二の発光部筐体と、を有し、
前記第二の発光部筐体は、非バウンス時である通常使用時にストロボ本体と係合して前記発光部の回転を防止する第一の位置と、バウンス時にストロボ本体との係合を解除して前記発光部の回転を可能にする第二の位置と、の間で第一の発光部筐体に対して変位可能であり、
前記第二の発光部筐体の移動に伴う前記光学部材の変位によって前記発光光学系の照射角を変更することを特徴とするストロボ装置。
【請求項２】
前記第二の発光部筐体の前記第二の位置への移動に伴って、前記発光光学系の照射角は長焦点側へ変更されることを特徴とする請求項１記載のストロボ装置。
【請求項３】
前記第二の発光部筐体は、前記第一の位置と前記第二の位置において前記光学部材を前記発光光学系の光軸方向に変位させることを特徴とする請求項１又は２記載のストロボ装置。
【請求項４】
前記光学部材は集光特性を有することを特徴とする請求項３記載のストロボ装置
【請求項５】
前記第二の発光部筐体が前記第二の位置にある時に前記光学部材は前記発光光学系から離脱すること特徴とする請求項１又は２記載のストロボ装置。
【請求項６】
前記光学部材は拡散特性を有することを特徴とする請求項５記載のストロボ装置
【発明の詳細な説明】
【技術分野】
【０００１】
本発明は、バウンス機能を有するストロボ装置に関する。
【背景技術】
【０００２】
特許文献１は、バウンス時にモーターを利用したオートズーム機構によって自動的に照射角を変更するストロボ装置を開示している。しかし、照射角を広角側に変更しすぎるとバウンス光以外に直接光が被写体に当たるという問題が発生することが知られている（特許文献２）。また、バウンス時に被写体に当たる反射光の光路長は直接光よりも長く被写体位置における照射範囲が拡大され、照射角を広く設定すると撮影画角に対して無駄な光を照射することになる。一般に、２４ｍｍから１０５ｍｍの照射角を有するオートズーム機構内蔵のストロボ装置では、バウンス時の照射角は中間の５０ｍｍ近辺に設定されている。
【特許文献１】特公平２−１６８９７号公報
【特許文献２】特開昭６１−１５３６２９号公報
【発明の開示】
【発明が解決しようとする課題】
【０００３】
近年、撮像装置の小型化と低価格化が進む中、小型で低価格なストロボ装置が益々要求されている。小型ストロボ装置はオートズーム機構を搭載せずに小型化と低価格化を図っているが、一般的な殆どの撮影画角をカバーする２８ｍｍの照射角に固定されているためにバウンス時に照射角を狭めて無駄な配光を無くすことができない。
【０００４】
そこで、オートズーム機構なしでバウンス時に照射角が変更され、小型で低価格なストロボ装置を提供することを目的とする。
【課題を解決するための手段】
【０００５】
本発明の一側面としてのストロボ装置は、ストロボ本体に対して回転可能な発光部を備えたバウンス機能を有するストロボ装置であって、前記発光部は、発光光学系の発光光源を備えた第一の発光部筐体と、発光光学系の光学部材を備えた第二の発光部筐体と、を有し、前記第二の発光部筐体は、非バウンス時である通常使用時にストロボ本体と係合して前記発光部の回転を防止する第一の位置と、バウンス時にストロボ本体との係合を解除して前記発光部の回転を可能にする第二の位置と、の間で第一の発光部筐体に対して変位可能であり、前記第二の発光部筐体の移動に伴う前記光学部材の変位によって前記発光光学系の照射角を変更することを特徴とする。
【発明の効果】
【０００６】
本発明によれば、オートズーム機構なしでバウンス時に照射角が変更され、小型で低価格なストロボ装置を提供することができる。
【発明を実施するための最良の形態】
【０００７】
以下、添付図面を参照して、本発明の実施例を説明する。
【実施例１】
【０００８】
図１は、実施例１のバウンス機能を有した小型ストロボ装置の通常使用時（非バウンス時）の斜視図、図２は、その部分中央断面図である。なお、図２は発光部周辺部材のみを示している。ストロボ装置は、ストロボ本体１に対して回転可能な発光部２を備えてバウンス機能を有する。発光部２は、ストロボ装置外装の一部を構成しバウンス時に回転する。
【０００９】
発光部２は、ストロボ本体１に対して回転軸９の周りに回転可能な第一の発光部筐体５と、第一の発光部筐体５に外周を取り囲むように取り付けられた第二の発光部筐体６と、を有する。第一の発光部筐体５内には発光光源であるキセノン管７とキセノン管７の光を前方へ反射するリフレクタ８が収納されている。第二の発光部筐体６には、フレネルレンズ等が形成され集光効果を有した発光パネル（光学部材）３が取り付けられている。キセノン管７、リフレクタ８、発光パネル３は発光光学系を構成する。
【００１０】
第二の発光部筐体６は、第一の発光部筐体５に対して第一の位置と第二の位置の間で、発光光学系の光軸方向（図２中左右方向）に平行に変位可能となっている。通常使用時には第二の発光部筐体６は図２中に示すように発光パネル３を第一の発光部筐体５に収納されたキセノン管７およびリフレクタ８に近接させた第一の位置に位置する。また、図１に示すように、バウンス時の指係りである第二の発光部筐体６の先端に形成された突起６ａがストロボ本体先端の凹部１ａに係合し、発光部２は回転が防止される。バウンス時には第二の発光部筐体６を移動させて係合を解除させる必要がある。
【００１１】
図３は、第二の発光部筐体６が第二の位置にある時のストロボ装置の斜視図、図４は、その部分中央断面図である。更に、図５は、バウンス時のストロボ装置の斜視図である。バウンス時には第二の発光部筐体６の突起６ａに指をかけて、第二の発光部筐体６をストロボ装置の前方へ引き出すようにして第二の位置（図中左方向）へスライドさせる。この操作により突起６ａとストロボ本体の凹部１ａの係合が解除されるため、発光部２は回転軸９回りの回転が可能となり、撮影者は突起６ａに指をかけたまま発光部２先端を引き起してバウンス状態にすればよい。
【００１２】
なお、不図示であるが、第二の発光部筐体６には第一の位置と第二の位置における保持のため公知のクリック機構が使用可能である。更に、第二の発光部筐体６の途中止まりを防ぐ点を考慮すれば公知技術のトグル機構を使用してもよい。また、発光部２の回転軸９の周りの回転方向についても、通常使用時及び所定のバウンス角度で保持するために公知技術のクリック機構が使用可能である。
【００１３】
第二の発光部筐体６が第二の位置にあるときは、第二の発光部筐体６に取り付けられた発光パネル３は、第一の発光部筐体５に収納されたキセノン管７及びリフレクタ８に対して通常使用時より遠ざかった位置に配置される。よって、集光特性を有した発光パネル３の発光光源側との相対位置の変化により、発光光学系の配光角は通常時よりも狭まった長焦点側に変化する。
【００１４】
通常携帯性や価格を重視した小型ストロボ装置においては、照射角は殆どの撮影画角をカバーする２８ｍｍ近辺の広角側に固定されている。本実施例においても第二の発光部筐体６が第一の位置に位置する通常使用時では発光光学系の照射角は同等の広角側に設定される。これに対し、バウンス時には天井等の反射を介して被写体に光が当たるため、被写体までの直接距離に対して光路が長くなっている分だけでも照射範囲が拡大されるため広めの照射角は不要である。更に、もともとガイドナンバーが低い傾向にある小型ストロボにおいては天井等の反射光の光量を確保するために、バウンス時には配光角を狭めてガイドナンバーを上げてやるのが好ましい。
【００１５】
本実施例は、バウンス時に光学部材の移動を伴う第二の発光部筐体の移動を必ず伴うため、撮影者が意識せずともバウンス撮影時には確実に照射角の変更が実施される。大幅なコスト上昇を伴いスペース的にも不利なモーターを用いたオートズーム機構を組み込まずにオートズームと同等の機能が提供可能であり、小型ストロボ装置に最適である。
【実施例２】
【００１６】
図６は、実施例２のバウンス機能を有した小型ストロボ装置の通常使用時（非バウンス時）の斜視図、図７は、その部分中央断面図である。ストロボ装置は、ストロボ本体１１に対して回転可能な発光部１２を備えてバウンス機能を有する。発光部１２は、ストロボ装置外装の一部を構成しバウンス時に回転する。
【００１７】
発光部１２は、ストロボ本体１１に対して第一の回転軸１９の周りに回転可能な第一の発光部筐体１５と、第一の発光部筐体１５先端側に取り付けられ、第一の発光部筐体１５に対して第二の回転軸２０の周りに回転可能な第二の発光部筐体１６と、を有する。第一の発光部筐体１５内には発光光源であるキセノン管１７とキセノン管の光を前方へ反射するリフレクタ１８が収納され、更に前面には透過性を有し第一の発光部筐体を閉塞する保護パネル２１が取り付けられている。第二の発光部筐体には、四角錐状の連続したブロック形状等が刻まれ拡散特性を有する拡散板１３（光学部材）が取り付けられている。キセノン管１７、リフレクタ１８、拡散板１３は発光光学系を構成する。保護パネル２１は単なる平板でも光学特性を持つフレネルレンズ等のどちらであってもよい。
【００１８】
第二の発光部筐体１６は通常使用時には図７に示すように拡散板１３を発光光学系として使用する第一の位置に位置し、ストロボ本体１１の先端に覆いかぶさるような状態となっている。この状態において第二の発光部筐体１６下端側の内壁面１６ｂがストロボ本体１１先端の凹部１１ａに係合し、発光部２は回転が防止される。バウンス時には第二の発光部筐体１６を移動させて前記係合を解除させる必要がある。
【００１９】
図８は、第二の発光部筐体が第二の位置にある時のストロボ装置の斜視図、図９は、その部分中央断面図である。このように、第二の発光部筐体１６は第一の位置と第二の位置との間で第一の発光部筐体１５に対して変位可能に構成されている。更に、図１０は、バウンス時のストロボ装置の斜視図である。バウンス時には第二の発光部筐体１６に形成された突起１６ａに指をかけ、第二の発光部筐体１６をストロボ本体１１前面で開くように第二の回転軸２０の周りに回転させて第二の位置に位置させる。この操作により第二の発光部筐体１６の内壁面１６ｂとストロボ本体１１の凹部１１ａとの係合が解除されるため、発光部１２は第一の回転軸１９回りの回転が可能となり、撮影者は突起１６ａに指をかけたまま発光部先端を引き起してバウンス状態にすればよい。
【００２０】
なお、不図示であるが、第二の発光部筐体１６には第一の位置と第二の位置における保持のために公知のクリック機構が使用可能である。また、発光部１２の第一の回転軸１９の周りの回転方向についても、通常使用時及び所定のバウンス角度で保持するために公知技術のクリック機構が使用可能である。
【００２１】
第二の発光部筐体１６が第二の位置にある時に第二の発光部筐体１６に取り付けられた拡散板１３は発光光学系から離脱する。よって、バウンス時では発光光学系の配光角は通常時よりも狭まった長焦点側に変化する。
【００２２】
実施例１ではリフレクタ８、発光パネル３を広角側と長焦点側でそれぞれ性能が確保されるようにバランスをとりながら設計しなければならない。これに対して、実施例２では、第一の発光部筐体１５内のみの発光光学系による照射光を単に拡散板１３で拡散するだけなので、リフレクタ１８等は長焦点側での性能に重点を置いて設計することが可能である。
【００２３】
なお、本実施例では第二の発光部筐体１６と拡散板１３を別部材として構成しているが、拡散板１３そのものが第二の発光部筐体１６の形状に成型されたものでもよい。
【００２４】
実施例１及び２によれば、バウンス時に光学部材の移動を伴う第二の発光部筐体の移動を必ず伴うため、撮影者が意識せずともバウンス撮影時には確実に照射角の変更が実施される。大幅なコスト上昇を伴いスペース的にも不利なモーターを用いたオートズーム機構を組むことなく、オートズームと同等の機能が提供できる。従って、低コスト、携帯性を重視した小型ストロボにも高機能なバウンス機能の搭載が可能となる。
【００２５】
以上、本発明の好ましい実施例について説明したが、本発明はこれらの実施例に限定されないことはいうまでもなく、その要旨の範囲内で種々の変形及び変更が可能である。
【図面の簡単な説明】
【００２６】
【図１】本発明の実施例１におけるストロボ装置の通常使用時（第二の発光部筐体が第一の位置にある時）の斜視図である。
【図２】図１のストロボ装置の部分中央断面図である。
【図３】図１に示すストロボ装置の第二の発光部筐体が第二の位置にある時の斜視図である。
【図４】図３の第二の発光部筐体の部分中央断面図である。
【図５】図１に示すストロボ装置のバウンス時の斜視図である。
【図６】本発明の実施例２におけるストロボ装置の通常使用時（第二の発光部筐体が第一の位置にある時）の斜視図である。
【図７】図６のストロボ装置の部分中央断面図である。
【図８】図６に示すストロボ装置の第二の発光部筐体が第二の位置にある時の斜視図である。
【図９】図８の第二の発光部筐体の部分中央断面図である。
【図１０】図６に示すストロボ装置のバウンス時の斜視図である。
【符号の説明】
【００２７】
１、１１            ストロボ本体
２、１２            発光部
３                  発光パネル（光学部材）
５、１５            第一の発光部筐体
６、１６            第二の発光部筐体
７、１７            キセノン管（発光光源）
８、１８            リフレクタ
１３                拡散板（光学部材）
【図１】
2009186937.tif 000003
【図２】
2009186937.tif 000004
【図３】
2009186937.tif 000005
【図４】
2009186937.tif 000006
【図５】
2009186937.tif 000007
【図６】
2009186937.tif 000008
【図７】
2009186937.tif 000009
【図８】
2009186937.tif 000010
【図９】
2009186937.tif 000011
【図１０】
2009186937.tif 000012